(57)【要約】【課題】２次電池が未接続や短絡などの異常状態であっても、商用電源が通電された状態における２次電池の正確な点検を可能とし、点検作業の自動化を図る。【解決手段】光源となるランプ３と、ランプ３に電力供給する２次電池６と、外部の常用電源から電力供給を受けて２次電池６を充電する充電部７と、常用電源が停電したときに２次電池６からの電力供給でランプ３を点灯させる点灯回路部２と、２次電池６の定期点検のための動作と常時監視のための動作を制御し、定期点検の結果と常時監視の結果とを総合的に判断して２次電池６の異常を検出する制御部５とを備える照明装置において、制御部５の電源は、２次電池６の点検動作中においても、常用電源と２次電池の双方から電力供給を受けるようにした。【選択図】図１
2005353424.tif 000002
【特許請求の範囲】
【請求項１】
光源となるランプと、ランプに電力供給する２次電池と、外部の常用電源から電力供給を受けて２次電池を充電する充電手段と、常用電源が停電したときに２次電池からの電力供給でランプを点灯させる非常点灯手段と、充電手段及び非常点灯手段を制御する制御部とを備える照明装置であって、前記制御部は、非常点灯手段により所定の点検時間以上強制的にランプを点灯させて２次電池の点検を行う点検手段と、少なくとも２次電池の充電状態を含む複数の動作状態を常時監視する監視手段と、点検手段による点検結果と監視手段による監視結果を総合的に判断して２次電池の異常を検出する電池異常検出手段とを備え、制御部の電源は、点検手段による２次電池の点検動作中においても、常用電源と２次電池の双方から電力供給を受けることを特徴とする照明装置。
【請求項２】
請求項１記載の照明装置において、常用電源からの電力供給を受けてランプを点灯させる常用点灯手段と、常用電源が停電したときに２次電池からの電力供給でランプを点灯させる非常点灯手段とで１つの点灯手段を共用し、常用電源から点灯手段への電力供給を遮断する位置に設けられた第１のスイッチと、２次電池から点灯手段への電力供給を遮断する位置に設けられた第２のスイッチとを備え、点検動作中は第１のスイッチを遮断すると共に第２のスイッチを接続し、制御部の電源は第１のスイッチが遮断されても常用電源から電力供給を受けることを特徴とする照明装置。
【請求項３】
請求項１記載の照明装置において、常用電源からの電力供給を受けてランプを点灯させる常用点灯手段と、ランプへの電力供給を常用点灯手段もしくは非常点灯手段へ切り替える切替部と、常用電源から常用点灯手段への電力供給を遮断する位置に設けられた第１のスイッチと、２次電池から非常点灯手段への電力供給を遮断する位置に設けられた第２のスイッチと、常用点灯手段および充電手段への常用電源供給を遮断する第３のスイッチとを備え、第１のスイッチは第３のスイッチと常用点灯手段との間に設けられ、点検動作中は第１のスイッチを遮断、第２のスイッチを接続し、制御部の電源は第１のスイッチが遮断されても常用電源から電力供給を受けることを特徴とする照明装置。
【請求項４】
請求項１記載の照明装置において、２次電池から非常点灯手段への電力供給を遮断する位置に設けられたスイッチを備え、点検動作中は前記スイッチを接続し、制御部の電源は前記スイッチの開閉にかかわらず常用電源から電力供給を受けることを特徴とする照明装置。
【請求項５】
請求項１乃至４のいずれかに記載された複数の照明装置と、各照明装置との間でデータの授受を行う制御装置とを備え、制御装置は、照明装置の点検結果又は監視結果のデータを取得して保存し、保存した点検結果又は監視結果の履歴に基づいて照明装置における異常の有無を判断することを特徴とする照明システム。
【発明の詳細な説明】
【技術分野】
【０００１】
本発明は、商用電源が停電したときに２次電池で光源を点灯させるとともに、２次電池の点検機能を有する照明装置及び照明システムに関するものである。
【背景技術】
【０００２】
誘導灯や非常灯のような非常用の照明装置は、２次電池による点灯が正常に行われるか否かの点検を定期的に行うように消防庁告示及び建築基準法などで義務づけられており、規定では誘導灯が２０分間又は６０分間、非常灯の場合は３０分間、光源を２次電池で非常点灯させなければならない。
【０００３】
従って、この種の装置には一般に、定期的な点検時などにおいて装置が正常に動作して放電灯が点灯するかを調べるための点検スイッチが設けられている。例えば特開平１０−１０６７６４号公報（特許文献１）に記載されている装置では、点検スイッチの操作によって常用スイッチング電源の発振動作を停止させることで停電状態を作りだし、蓄電池からインバータ点灯回路を動作させてランプを点灯させるという手段をとっている。
【０００４】
ところで、通常、点検者は規定された時間はランプを点灯させ続けるために、点検スイッチの引き輪に重りをぶら下げるなどして、上記規定時間内にランプが有効に非常点灯可能か否かを見て廻る必要があり、非常に手間のかかる作業であった。そこで、点検作業の省力化を図るために点検作業を自動化する方法が、特開２００４−１１９１５１号公報（特許文献２）に開示されている。この特許文献２に開示された照明装置では、点検作業の省力化を図るため、常用電源が停電したときに２次電池からの電力供給でランプを点灯させ、満充電状態の２次電池を規定時間、強制的に放電させることを特徴としている。
【特許文献１】特開平１０−１０６７６４号公報
【特許文献２】特開２００４−１１９１５１号公報
【発明の開示】
【発明が解決しようとする課題】
【０００５】
ところが、特許文献２のような点検作業の自動化を図る照明装置においては、２次電池による点灯が正常に行われたか否かの判定を行うための制御回路が必要である。しかし、特許文献１に記載のような構成では、点検操作によって常用スイッチング電源の発振動作を停止させてしまうと、前述の制御回路への電源供給は２次電池のみとなるので、２次電池が未接続や短絡などの異常状態で点検操作を行ってしまうと、制御部への電源供給がなくなってしまい、点検結果の判定が正確におこなわれなくなるという問題が生じる。
【０００６】
本発明は上述のような課題を解決するためになされたものであり、２次電池が異常状態であっても、商用電源が通電された状態における２次電池の正確な点検を可能とし、点検作業の自動化を図ることが可能な照明装置を提供することを目的とするものである。
【課題を解決するための手段】
【０００７】
本発明の照明装置によれば、上記の課題を解決するために、図１に示すように、光源となるランプ３と、ランプ３に電力供給する２次電池６と、外部の常用電源から電力供給を受けて２次電池６を充電する充電部７と、常用電源が停電したときに２次電池６からの電力供給でランプ３を点灯させる点灯回路部２と、２次電池６の定期点検のための動作と常時監視のための動作を制御し、定期点検の結果と常時監視の結果とを総合的に判断して２次電池６の異常を検出する制御部５とを備える照明装置において、制御部５の電源は、２次電池６の点検動作中においても、常用電源と２次電池の双方から電力供給を受けるようにしたことを特徴とするものである。
【発明の効果】
【０００８】
本発明によれば、商用電源が通電された状態において自動的に点検動作を行う場合に、２次電池の点検動作を制御する制御部は、点検動作中に常用電源から電力供給を受けて動作するため、２次電池が未接続状態や短絡状態であるなどの異常状態であっても、２次電池の異常判定を正確におこなうことが出来る。
【発明を実施するための最良の形態】
【０００９】
（実施形態１）
本発明の実施形態１の構成を図１に示す。電源部１は、商用交流電源ＡＣのような常用電源を降圧・整流・平滑し、直流低電圧（例えばＤＣ１２ＶあるいはＤＣ２４Ｖなど）を出力する。この直流低電圧は、点検スイッチＳＷ１を介して点灯回路部２に供給されて、点灯回路部２の出力によりランプ３を点灯させる。点灯回路部２は、例えば自励式プッシュプルインバータ回路などであり、直流低電圧を高周波の高電圧に変換して出力する。ランプ３は、例えば冷陰極蛍光灯などであり、点灯回路部２の出力により始動・点灯される。電源部１と点灯回路部２は「常用電源からの電力供給を受けてランプを点灯させる常用点灯手段」を構成している。
【００１０】
消灯スイッチ４は、常用時において、電源部１の動作を停止させることで、ランプ３を消灯するためのスイッチである。例えば、電源部１が上述の特許文献１（特開平１０−１０６７６４号公報）のようなスイッチング電源よりなる場合、消灯スイッチ４はそのスイッチング動作を停止させるためのスイッチであっても良い。もちろん、電源部１の構成はスイッチング電源に限定されるものではなく、降圧トランスと整流・平滑回路を組み合わせた構成でも構わない。
【００１１】
スイッチＳＷ１は点検スイッチであり、電源部１と点灯回路部２の間に挿入されている。この点検スイッチは、例えば、リレーの常閉接点よりなり、常時はＯＮ状態であるが、点検時には、制御部５からの駆動信号によりＯＦＦ状態に制御することができる。
【００１２】
スイッチＳＷ２は非常点灯用のスイッチであり、例えば、リレーの常開接点よりなり、常時はＯＦＦ状態であるが、非常点灯時には制御部５からの駆動信号によりＯＮ状態に制御されて、点灯回路部２の電源入力部に２次電池６を接続するように動作する。２次電池６とスイッチＳＷ２及び点灯回路部２は「常用電源が停電したときに２次電池からの電力供給でランプを点灯させる非常点灯手段」を構成している。このように、本実施形態では、商用電源からの電力供給でランプを点灯させる常用点灯手段と２次電池によりランプを点灯させる非常点灯手段とで同じ点灯回路部２を共用している。
【００１３】
電源部１の直流低電圧出力は、充電部７を介して２次電池６に供給されている。電源部１と充電部７が「外部の常用電源から電力供給を受けて２次電池を充電する充電手段」を構成している。ここで、充電部７は単なる限流抵抗だけで構成しても良いし、トランジスタを用いた定電流回路であっても良いし、スイッチング型の電圧変換回路であっても良い。
【００１４】
制御部５は、例えばマイクロコンピュータ（以下「マイコン」と呼ぶ）を含んで構成されており、非常点灯手段により所定の点検時間以上強制的にランプを点灯させて２次電池の点検を行う点検手段と、少なくとも２次電池の充電状態を含む複数の動作状態を常時監視する監視手段と、点検手段による点検結果と監視手段による監視結果を総合的に判断して２次電池の異常を検出する電池異常検出手段とを備えている。これらの点検手段や監視手段、電池異常検出手段などはマイコンの制御プログラムにより実現しても良いし、必要に応じてマイコンの外付け回路との組み合わせにより実現しても良い。
【００１５】
例えば、非常点灯手段により所定の点検時間以上強制的にランプを点灯させて２次電池の点検を行うには、マイコンの出力ポートからリレー駆動信号を出力し、スイッチＳＷ１をＯＦＦ状態、スイッチＳＷ２をＯＮ状態とすることで、２次電池６からの電力供給により点灯回路部２を動作させてランプ３を点灯させる。
【００１６】
また、少なくとも２次電池の充電状態を含む複数の動作状態を常時監視するために、充電部７からは充電電流の検出信号、点灯回路部２からはランプ電流の検出信号、２次電池６からは電池電圧の検出信号が制御部５に入力されている。常時監視の対象としては、例えば、充電電流の有無を検出し、充電電流が検出されなければ、２次電池６が外れていると判断する。また、電池電圧が所定のしきい値以上か否かを判断し、電池電圧がしきい値未満であれば、２次電池６に異常が発生していると判断する。これらの監視結果（電池外れ、電池電圧低下など）は、制御部５に内蔵された記憶部（ＥＥＰＲＯＭなど）に書き込んでおく。
【００１７】
この照明装置においても、消防庁告示及び建築基準法等で義務づけられている点検（２次電池６による非常点灯が正常に行われるか否かの点検）を定期的に（例えば、３箇月に１回）行う必要がある。この定期的な点検における制御部５の動作を図３に示す。ここでは、制御部５に表示灯が外付けされているものとし、点検結果を表示可能とした場合について説明する。定期点検が開始されると、まず、制御部５の記憶部に記憶されている常用時での２次電池６の監視結果が正常か否かを判断する（ステップ１）。ここで常用時の２次電池６の監視結果（電池外れ、電池電圧低下など）が正常でなければ、２次電池６の異常と判断し（ステップ２）、表示灯を点灯あるいは点滅させて異常発生を報知するとともに、その点検結果（２次電池６に異常発生）を記憶部に記憶した後（ステップ３）、２次電池６の放電を終了して点検を中止する（ステップ４）。
【００１８】
一方、常用時の２次電池６の監視結果が正常であれば、制御部５はスイッチＳＷ１をオフ、スイッチＳＷ２をオンにして２次電池６の放電を開始し（ステップ５）、ランプ電流の検出結果からランプ３の点灯、不点灯を判別し（ステップ６）、不点灯であればランプ３の異常と判断する（ステップ７）。そして、表示灯を点灯あるいは点滅させて異常発生を報知するとともに、その点検結果（ランプ３に異常発生）を記憶部に記憶した後（ステップ３）、２次電池６の放電を終了して点検を中止する（ステップ４）。
【００１９】
また、ランプ３の点灯が検出されれば、電池電圧を所定の基準値（以下、「放電基準電圧」と呼ぶ）と比較し（ステップ８）、電池電圧が放電基準電圧以上であればステップ６に戻ってランプ３の点灯、不点灯を判別する。そして、２次電池６が放電して電池電圧が放電基準電圧を下回ったとき、ステップ５の放電開始時点からタイマによりカウントし始めた経過時間が所定の点検時間Ｔ１（例えば、一般の非常灯では３０分、長時間型であれば６０分）以上であるか否かを判断し（ステップ９）、経過時間が点検時間Ｔ１未満であれば２次電池６に異常が発生していると判断する（ステップ１０）。そして、表示灯を点灯あるいは点滅させて異常発生を報知するとともに、その点検結果（２次電池１に異常発生）を記憶部に記憶した後（ステップ３）、２次電池６の放電を終了して点検を中止する（ステップ４）。
【００２０】
一方、経過時間が点検時間Ｔ１以上であれば、２次電池６が正常であると判断し（ステップ１１）、その点検結果（２次電池６及びランプ３は正常）を記憶部に記憶した後（ステップ３）、２次電池６の放電を終了して点検を終了する（ステップ４）。
【００２１】
２次電池６の点検時にランプ３が正常に点灯していれば、２次電池６の電池電圧が低下するが、２次電池６の放電開始時刻からの経過時間が点検時間Ｔ１を過ぎる前に放電基準電圧を下回ることはなく、点検時間Ｔ１を過ぎた時点の電池電圧が放電基準電圧以上か否かで２次電池６が正常であるか、あるいは異常が発生しているかを判断することができる。また、ランプ３に異常があって不点灯となったときには、２次電池６の電池電圧が殆ど低下しないから、点検時間Ｔ１を過ぎた時点の電池電圧が放電基準電圧以上となって２次電池６が正常と判断される恐れがあったが、本実施形態では点検中におけるランプ３の点灯、不点灯を検出し、ランプ３が不点灯の場合には点検を中止するようにしているから、ランプ３の不点灯により２次電池６の点検が不正確になるのを防ぐことができる。
【００２２】
以上のような常時監視及び定期点検を行うための制御部５の動作電源は、２通りの経路から確保されている。すなわち、電源部１の出力からダイオードＤ１を介して制御部５の電源入力端子に動作電源が供給されていると共に、２次電池６の出力からもダイオードＤ２を介して制御部５の電源入力端子に動作電源が供給されている。これにより、制御部５の電源入力端子には、電源部１の出力又は２次電池６の出力のうち、いずれか電圧の高い方から動作電源が供給される。
【００２３】
図１において、常用時はスイッチＳＷ１を接続状態に、スイッチＳＷ２を遮断状態にすることで、電源部１の出力からの電力供給にてランプ３を点灯させる。ここで、自動点検動作に移行するときは、スイッチＳＷ１を遮断することによって電源部１の出力から点灯回路部２への電力供給を遮断すると共に、スイッチＳＷ２を接続することによって２次電池６から点灯回路部２への電力供給によってランプ３を点灯させ、２次電池６の点検を行う。点検動作中の制御部５には常に電源部１より電力が供給されるため、２次電池６が未接続状態や短絡状態であるなどの異常状態であっても、制御部５では２次電池６の点検結果を正確に判定することが可能となる。また、停電時の制御部５には２次電池６から電力が供給される。
【００２４】
尚、図２に示すように、電源部１の出力がランプ３への電力供給用と２次電池６への充電用との二出力である場合においては、制御部５への電力供給はどちらの出力から得ても同様な効果が得られる。図２の例では、実線で示すように、２次電池６への充電用の出力からダイオードＤ１を介して制御部５の電源入力端子に動作電源を供給しているが、破線で示すように、点灯回路部２への電力供給用の出力にダイオードＤ１のアノードを接続しても構わない。
【００２５】
（実施形態２）
本発明の実施形態２の構成を図４に示す。本実施形態は、商用電源からの電力供給でランプ３を点灯させる常用点灯装置２０と、２次電池６よりランプ３を点灯させる非常用点灯装置１０を組み合わせて、切替部８によりランプ３の接続を常用／非常用のいずれかの点灯装置２０または１０に切り換える構成の例である。常用点灯装置２０は、一対の電源入力端子ａ，ｂと負荷出力端子ｃ，ｄを有している。常用点灯装置２０の出力端子ｃ，ｄは非常用点灯装置１０の入力端子Ｃ，Ｄに接続され、切替部８を介してランプ３の端子Ｅ，Ｆに接続される。非常用点灯装置１０の電源入力端子Ａ，Ｂには、点検スイッチ９を介して商用交流電源ＡＣが接続されている。常用点灯装置２０の一方の電源入力端子ａは消灯スイッチ４を介して商用交流電源ＡＣの一端に接続されており、常用点灯装置２０の他方の電源入力端子ｂは第１のスイッチＳＷ１と点検スイッチ９を介して商用交流電源ＡＣの他端に接続されている。この実施形態では、点検スイッチ９は３接点のスイッチよりなり、常時は常用点灯装置２０の電源入力端子ｂと非常用点灯装置１０の電源入力端子Ｂを商用交流電源ＡＣに接続しており、点検時には、これらを切り離すように動作する。
【００２６】
ここで、ランプ３が冷陰極型蛍光灯である場合、常用点灯装置２０は銅鉄型の安定器であっても良いし、自励式プッシュプルインバータのような高周波発振回路であっても良い。非常点灯回路部２ａは自励式プッシュプルインバータのような高周波発振回路よりなる。
【００２７】
非常用点灯装置１０は、直流低電圧を高周波高電圧に変換して出力する非常点灯回路部２ａと、ランプ３を常用点灯装置２０の出力に接続するか非常点灯回路部２ａの出力に接続するかを切り替える切替部８と、非常点灯回路部２ａの電源となる２次電池６と、商用交流電源ＡＣを降圧・整流・平滑して直流低電圧を出力する電源部１と、電源部１の出力により２次電池６を充電する充電部７と、停電時のような非常時あるいは点検時には２次電池６を非常点灯回路部２ａに接続するスイッチＳＷ２と、これらを制御する制御部５とを有している。制御部５の動作電源は、電源部１の出力からダイオードＤ１を介して供給されると共に、２次電池６の出力からもダイオードＤ２を介して供給されている。
【００２８】
本実施形態では、常用点灯装置２０と非常点灯回路部２ａとが別々に設けられている点が実施形態１とは異なるが、常用点灯装置２０に電源供給するためのスイッチＳＷ１と、非常点灯回路部２ａに電源供給するためのスイッチＳＷ２の動作については実施形態１と同様である。したがって、制御部５の動作については実施形態１で説明した動作と殆ど同様であるが、切替部８を有しているので、この切替部８をスイッチＳＷ１，ＳＷ２と連動して制御する点が異なる。スイッチＳＷ１がＯＮ、スイッチＳＷ２がＯＦＦのときには、常用電源から常用点灯装置２０に電源供給されているので、ランプ３を常用点灯装置２０の出力に接続するように切替部８を制御する。また、スイッチＳＷ１がＯＦＦ、スイッチＳＷ２がＯＮのときには、２次電池６から非常点灯回路部２ａに電源供給されているので、ランプ３を非常点灯回路部２ａの出力に接続するように切替部８を制御する。
【００２９】
図４において、常用時はスイッチＳＷ１を接続状態（ＯＮ）に、スイッチＳＷ２を遮断状態（ＯＦＦ）にすることで、常用点灯装置２０よりランプ３を点灯させる。点検スイッチ９により停電状態を作り出す場合は、常用点灯装置２０および非常用点灯装置１０の双方の電源が遮断され、制御部５によって非常用点灯装置１０の電源が停電状態になったことを検知して、スイッチＳＷ１を遮断状態に、スイッチＳＷ２を接続状態とし、２次電池６からの電力供給によってランプ３を点灯させる。上述の実施形態１で説明したように、制御部５は充電部７の充電電流を常時監視しているので、通電状態から停電状態に変化したときには、それまで流れていた充電電流が無くなることで、停電状態となったことを検知することができる。もちろん、停電検知回路を別設して、その検知出力を制御部５に入力するようにしても良い。スイッチＳＷ１，ＳＷ２はリレー接点等からなり、制御部５からのリレー駆動信号によりＯＮ、ＯＦＦを制御できるようになっている。
【００３０】
自動点検動作に移行する場合は、点検スイッチ９は接続したままスイッチＳＷ１を遮断することによって、常用点灯装置２０への電力供給のみを遮断すると共に、スイッチＳＷ２を接続状態とすることによって２次電池６からの電力供給によってランプ３を点灯させ、２次電池６の点検を行う。これにより、点検動作中の制御部５には常に非常用点灯装置１０の電源部１より電力が供給されるため、２次電池６が未接続状態や短絡状態であるなどの異常状態であっても、２次電池６の点検結果を正確に判断することが可能となる。なお、充電部７がＤＣ−ＤＣコンバータのようなスイッチング型の電圧変換回路よりなる場合は、点検動作中は制御部５からの指令により充電部７の動作を停止させるようにしても良い。
【００３１】
（実施形態３）
本発明の実施形態３の構成を図５に示す。本実施形態は、非常時のみランプ３を点灯させる装置の場合の例であり、商用電源からの電力供給で２次電池６を充電する充電部７と、２次電池６の点検動作を制御する制御部５を備え、前記制御部５は２通りの経路から動作電源を供給されている。すなわち、充電部７に電源供給するための電源部１の出力からダイオードＤ１を介して制御部５の電源入力端子に動作電源が供給されていると共に、２次電池６の出力からもダイオードＤ２を介して制御部５の電源入力端子に動作電源が供給されている。電源部１と充電部７の間に点検スイッチ９を挿入すると共に、２次電池６から光源となるランプ３への電力供給を遮断する位置にスイッチＳＷ２を設けてある。このスイッチＳＷ２は、例えばリレー接点よりなり、制御部５からのリレー駆動信号によりＯＮ／ＯＦＦを制御可能となっている。
【００３２】
ここで、電源部１の構成はスイッチング電源に限定されるものではなく、降圧トランスと整流・平滑回路を組み合わせたような構成でも構わない。点灯回路部２は、例えば自励式プッシュプルインバータ回路などであり、直流低電圧を高周波の高電圧に変換して出力する。ランプ３は、例えば冷陰極蛍光灯などであり、点灯回路部２の出力により始動・点灯される。
【００３３】
なお、ランプ３は冷陰極型蛍光灯に限定されるものではなく、その他の任意のランプ（例えば、白熱ランプやＬＥＤランプ）であっても構わない。また、点灯回路部２はランプ電流を制限する限流回路であっても良い。他の実施形態についても同様である。
【００３４】
図５において、常用時はスイッチＳＷ２を遮断状態にすることで、商用電源からの電力供給で２次電池６を充電させる。点検スイッチ９により停電状態を作り出す場合は、商用電源からの電力供給が遮断されたことを制御部５によって検知して、スイッチＳＷ２を接続状態として２次電池６からの電力供給によってランプ３を点灯させる。上述の実施形態１で説明したように、制御部５は充電部７の充電電流を常時監視しているので、通電状態から停電状態に変化したときには、それまで流れていた充電電流が無くなることで、停電状態となったことを検知することができる。もちろん、停電検知回路を別設して、その検知出力を制御部５に入力するようにしても良い。
【００３５】
自動点検動作に移行する場合は、点検スイッチ９は接続したままスイッチＳＷ２を接続状態とすることで、２次電池６からの電力供給によってランプ３を点灯させ、２次電池６の点検を行う。これにより、点検動作中の制御部５には常に電源部１より電力が供給されるため、２次電池６が未接続状態や短絡状態であるなどの異常状態であっても、２次電池６の点検結果を正確に判断することが可能となる。なお、充電部７がＤＣ−ＤＣコンバータのようなスイッチング型の電圧変換回路よりなる場合は、点検動作中は制御部５からの指令により充電部７の動作を停止させるようにしても良い。
【００３６】
（実施形態４）
本発明の実施形態４の動作を図６に示す。本実施形態は、実施形態２においてスイッチＳＷ１とスイッチＳＷ２の動作タイミングに優先順位を付けることに特徴がある。実施形態２（図４）の構成では、常用時は常用点灯装置２０で、停電時は非常用点灯装置１０で共通のランプ３を点灯させるため、切替部８によってランプ３の接続を切り替える必要がある。この構成の照明装置としては、例えばランプ３に蛍光灯などのランプを使い、常用点灯装置２０としてインバータ安定器を使ったものがあるが、インバータ安定器は一般的に、入力電源を遮断しても瞬時には停止せず、数１０ｍｓ程度の発振が継続してしまう。このような照明装置において切替部８にリレーなどの有接点素子を使う場合などは、発振継続中に接点切替を行うことによるアーク発生や接点溶着などの切替不良を避けるため、スイッチＳＷ１とスイッチＳＷ２の動作タイミングに優先順位を付ける。具体的には、図６に示すように、自動点検開始時はまずスイッチＳＷ１を遮断したのちスイッチＳＷ２を接続し、自動点検終了時はまずスイッチＳＷ２を遮断したのちスイッチＳＷ１を接続する。このような優先順位を付けることで、切替部８への電力供給が常用側、非常用側ともに停止している状態でランプ接続を切り替えることができるため、切替部８の信頼性を向上させることが可能となる。
【００３７】
なお、図６では、自動点検開始とスイッチＳＷ１の遮断、および自動点検終了とスイッチＳＷ２の遮断のタイミングをずらしているが、これらの動作タイミングは同時であっても同様の効果を得られる。
【００３８】
図１、図４、図５の実施形態について、照明システムを構築した場合の構成例を図７〜図９に示す。上述の実施形態１〜４において、制御部５内に通信部１１を追加し、通信線１２を介して制御部５の電池判断結果を外部の制御装置１３へ出力したり、外部の制御装置１３からの指令によって制御部５の点検動作を開始させることにより、特開２００４−１１９１５１号公報（特許文献２）に開示されている事例と同様の照明システムを構築することが可能となる。
【００３９】
図７〜図９において、制御部５に追加された通信部１１は、固有のアドレスを割り当てられて、制御装置１３からの呼出信号に含まれるアドレスが自アドレスと一致すると、制御装置１３からの制御信号を制御部５への指令として受信すると共に、制御部５の記憶部に蓄積された点検結果又は監視結果のデータを制御装置１３へ返信するように動作する。制御装置１３は、照明装置の点検結果又は監視結果のデータを取得して保存し、保存した点検結果又は監視結果の履歴に基づいて照明装置における異常の有無を判断する。制御装置１３に接続される通信部１１が複数存在するとき、各通信部１１はカスケード配線、バス配線、スター配線のいずれの形態で接続されていても良い。このような複数の通信部１１と制御装置１３を用いた遠隔監視制御システムは、従来周知の技術で実現可能であるから、詳細な構成については図示並びに説明を省略する。
【図面の簡単な説明】
【００４０】
【図１】本発明の実施形態１の構成を示すブロック回路図である。
【図２】本発明の実施形態１の一変形例を示すブロック回路図である。
【図３】本発明の実施形態１の点検動作の一例を示すフローチャートである。
【図４】本発明の実施形態２の構成を示すブロック回路図である。
【図５】本発明の実施形態３の構成を示すブロック回路図である。
【図６】本発明の実施形態４の動作説明図である。
【図７】本発明の実施形態１を用いた照明システムの構成を示すブロック回路図である。
【図８】本発明の実施形態２を用いた照明システムの構成を示すブロック回路図である。
【図９】本発明の実施形態３を用いた照明システムの構成を示すブロック回路図である。
【符号の説明】
【００４１】
１  電源部
２  点灯回路部
３  ランプ
４  消灯スイッチ
５  制御部
６  ２次電池
７  充電部
【図１】
2005353424.tif 000003
【図２】
2005353424.tif 000004
【図３】
2005353424.tif 000005
【図４】
2005353424.tif 000006
【図５】
2005353424.tif 000007
【図６】
2005353424.tif 000008
【図７】
2005353424.tif 000009
【図８】
2005353424.tif 000010
【図９】
2005353424.tif 000011